(57)【要約】【課題】  翼外周に複数の切欠を設けることによって複数の翼端を形成し、翼端渦を細分化することにより、騒音の大幅な低減を図る。【解決手段】  回転軸４を含む任意の羽根断面において前記回転軸４からの距離Ｒが最大になる点を結んだ曲線により外周縁３ａがそれぞれ構成される複数の羽根３，３・・を備えた送風機において、前記各羽根３の外周縁３ａに、羽根３の前縁側と羽根３の後縁側との間の複数の位置にあって局所的に前記距離Ｒが小さくなる切欠５，５・・を形成して、羽根３の外周縁３ａに形成した複数の切欠５，５・・によって羽根３の外周縁３ａに複数の翼端３ｂ，３ｂ・・が形成されるようにし、羽根外周縁３ａにおいて発生する翼端渦Ｅが複数の翼端渦ｅ，ｅ・・に細分化されるようにしている。【選択図】        図１
2008157117.tif 000002
【特許請求の範囲】
【請求項１】
回転軸（４）を含む任意の羽根断面において前記回転軸（４）からの距離（Ｒ）が最大になる点を結んだ曲線により外周縁（３ａ）がそれぞれ構成される複数の羽根（３），（３）・・を備えた送風機であって、前記各羽根（３）の外周縁（３ａ）には、羽根（３）の前縁側と羽根（３）の後縁側との間の複数の位置にあって局所的に前記距離（Ｒ）が小さくなる切欠（５），（５）・・を形成したことを特徴とする送風機。
【請求項２】
前記各切欠（５）における局所的に前記距離（Ｒ）が最小となる部位（５ａ）の外周側に羽根部分が存在するように構成したことを特徴とする請求項１記載の送風機。
【請求項３】
前記羽根（３），（３）・・の外周側には、軸方向に羽根（３），（３）・・と重なる領域と重ならない領域とが存在するように円筒形状のエアガイド（６）を付設するとともに、前記切欠（５），（５）・・を、前記エアガイド（６）と軸方向に重ならない領域にのみ形成したことを特徴とする請求項１および２のいずれか一項記載の送風機。
【請求項４】
前記各羽根（３）の外周径を、最も前縁側が他の部分より小さくなるようにしたことを特徴とする請求項１、２および３のいずれか一項記載の送風機。
【請求項５】
前記各羽根（３）の一部又は全部を、通気性素材（７）で構成したことを特徴とする請求項１、２、３および４のいずれか一項記載の送風機。
【請求項６】
請求項１、２、３、４および５のいずれか一項記載の送風機（Ｆ）を具備したことを特徴とする空気調和機用室外機。
【発明の詳細な説明】
【技術分野】
【０００１】
本願発明は、送風機および該送風機を具備した空気調和機用室外機に関するものである。
【背景技術】
【０００２】
空気調和機用室外機において使用される軸流送風機や斜流送風機では、例えば、図７に示すように、羽根１の外周から翼端渦Ｅと呼ばれる強い渦が発生し、この翼端渦Ｅが他の羽根１やエアガイドと干渉して騒音の原因となるという不具合があった。また、翼端渦Ｅが翼面の剥離と干渉して騒音を増大させるおそれもあった。翼端を折り曲げるなどして翼端渦Ｅを弱くする工夫などが試みられてきたが、効果が小さかった。
【０００３】
従来技術としては、翼の外周前縁側に単独で切欠を形成したものがある（特許文献１参照）。
【０００４】
【特許文献１】特開平５−２９６１９５号公報。
【発明の開示】
【発明が解決しようとする課題】
【０００５】
ところが、上記特許文献１に開示されている送風機の場合、切欠が単独であるため、翼端渦Ｅの細分化が不十分で、騒音低減効果が十分に得られないという問題が残る。また、上記特許文献１には、エアガイドとの関係や翼面剥離との関係については全く考慮されていない。
【０００６】
本願発明は、上記の点に鑑みてなされたもので、翼外周に複数の切欠を設けることによって複数の翼端を形成し、翼端渦を細分化することにより、騒音の大幅な低減を図ることを目的とするものである。
【課題を解決するための手段】
【０００７】
本願発明では、上記課題を解決するための第１の手段として、回転軸４を含む任意の羽根断面において前記回転軸４からの距離Ｒが最大になる点を結んだ曲線により外周縁３ａがそれぞれ構成される複数の羽根３，３・・を備えた送風機において、前記各羽根３の外周縁３ａに、羽根３の前縁側と羽根３の後縁側との間の複数の位置にあって局所的に前記距離Ｒが小さくなる切欠５，５・・を形成している。
【０００８】
上記のように構成したことにより、羽根３の外周縁３ａに形成した複数の切欠５，５・・によって羽根３の外周縁３ａに複数の翼端３ｂ，３ｂ・・が形成されることとなり、羽根３の外周縁３ａにおいて発生する翼端渦Ｅが複数の翼端渦ｅ，ｅ・・に細分化されることとなる。その結果、一つ一つの翼端渦ｅ，ｅ・・が弱くなり、細分化された翼端渦ｅ，ｅ・・と他の物体との干渉による騒音が小さくなって、低騒音化を図ることができる。
【０００９】
本願発明では、さらに、上記課題を解決するための第２の手段として、上記第１の手段を備えた送風機において、前記各切欠５における局所的に前記距離が最小となる部位５ａの外周側に羽根部分が存在するように構成することもでき、そのように構成した場合、切欠５の外周側に存在する羽根部分が一つ一つの翼端３ｂを形成することとなり、翼端渦Ｅの細分化を確実に行うことができる。
【００１０】
本願発明では、さらに、上記課題を解決するための第３の手段として、上記第１又は第２の手段を備えた送風機において、前記羽根３，３・・の外周側に、軸方向に羽根３，３・・と重なる領域と重ならない領域とが存在するように円筒形状のエアガイド６を付設するとともに、前記切欠５，５・・を、前記エアガイド６と軸方向に重ならない領域にのみ形成することもでき、そのように構成した場合、翼端渦Ｅが発生し易いエアガイド６と軸方向に重ならない領域での翼端渦Ｅの細分化が可能となるところから、翼端渦Ｅとエアガイド６との干渉による騒音の低減化に大いに寄与する。
【００１１】
本願発明では、さらに、上記課題を解決するための第４の手段として、上記第１、第２又は第３の手段を備えた送風機において、前記各羽根３の外周径を、最も前縁側が他の部分より小さくすることもでき、そのように構成した場合、羽根３の外周縁３ａの切欠５，５・・によって形成された翼端３ｂ，３ｂ・・による翼端渦の細分化効果を調整することができ、低騒音化を確実ならしめることができる。
【００１２】
本願発明では、さらに、上記課題を解決するための第５の手段として、上記第１、第２、第３又は第４の手段を備えた送風機において、前記各羽根３の一部又は全部を、通気性素材７で構成することもでき、そのように構成した場合、羽根３の翼面剥離が大幅に抑制されるところから、翼端渦Ｅと翼面剥離との干渉を抑制することができ、より一層の低騒音化を図ることができる。
【００１３】
本願発明では、さらに、上記課題を解決するための第６の手段として、空気調和機用室外機の送風機として、上記第１、第２、第３、第４又は第５の手段を備えた送風機Ｆを採用することもでき、そのように構成した場合、空気調和機用室外機の運転音を大幅に低減できる。
【発明の効果】
【００１４】
本願発明の第１の手段によれば、回転軸４を含む任意の羽根断面において前記回転軸４からの距離Ｒが最大になる点を結んだ曲線により外周縁３ａがそれぞれ構成される複数の羽根３，３・・を備えた送風機において、前記各羽根３の外周縁３ａに、羽根３の前縁側と羽根３の後縁側との間の複数の位置にあって局所的に前記距離Ｒが小さくなる切欠５，５・・を形成して、羽根３の外周縁３ａに形成した複数の切欠５，５・・によって羽根３の外周縁３ａに複数の翼端３ｂ，３ｂ・・が形成されるようにし、羽根外周縁３ａにおいて発生する翼端渦Ｅが複数の翼端渦ｅ，ｅ・・に細分化されるようにしているので、一つ一つの翼端渦ｅ，ｅ・・が弱くなり、細分化された翼端渦ｅ，ｅ・・と他の物体との干渉による騒音が小さくなって、低騒音化を図ることができるという効果がある。
【００１５】
本願発明の第２の手段におけるように、上記第１の手段を備えた送風機において、前記各切欠５における局所的に前記距離が最小となる部位５ａの外周側に羽根部分が存在するように構成することもでき、そのように構成した場合、切欠５の外周側に存在する羽根部分が一つ一つの翼端３ｂを形成することとなり、翼端渦Ｅの細分化を確実に行うことができる。
【００１６】
本願発明の第３の手段におけるように、上記第１又は第２の手段を備えた送風機において、前記羽根３，３・・の外周側に、軸方向に羽根３，３・・と重なる領域と重ならない領域とが存在するように円筒形状のエアガイド６を付設するとともに、前記切欠５，５・・を、前記エアガイド６と軸方向に重ならない領域にのみ形成することもでき、そのように構成した場合、翼端渦Ｅが発生し易いエアガイド６と軸方向に重ならない領域での翼端渦Ｅの細分化が可能となるところから、翼端渦Ｅとエアガイド６との干渉による騒音の低減化に大いに寄与する。
【００１７】
本願発明の第４の手段におけるように、上記第１、第２又は第３の手段を備えた送風機において、前記各羽根３の外周径を、最も前縁側が他の部分より小さくすることもでき、そのように構成した場合、羽根３の外周縁３ａの切欠５，５・・によって形成された翼端３ｂ，３ｂ・・による翼端渦の細分化効果を調整することができ、低騒音化を確実ならしめることができる。
【００１８】
本願発明の第５の手段におけるように、上記第１、第２、第３又は第４の手段を備えた送風機において、前記各羽根３の一部又は全部を、通気性素材７で構成することもでき、そのように構成した場合、羽根３の翼面剥離が大幅に抑制されるところから、翼端渦Ｅと翼面剥離との干渉を抑制することができ、より一層の低騒音化を図ることができる。
【００１９】
本願発明の第６の手段におけるように、空気調和機用室外機の送風機として、上記第１、第２、第３、第４又は第５の手段を備えた送風機Ｆを採用することができ、そのように構成した場合、空気調和機用室外機の運転音を大幅に低減できる。
【発明を実施するための最良の形態】
【００２０】
以下、添付の図面を参照して、本願発明の幾つかの好適な実施の形態について詳述する。
【００２１】
第１の実施の形態
図１ないし図３には、本願発明の第１の実施の形態にかかる送風機が示されている。
【００２２】
この送風機Ｆは、駆動源であるファンモータ（図示省略）に対して回転軸４を介して動力伝達可能に連結された円筒状のボス２と、該ボス２の外周から放射状に突設された複数枚（例えば、３枚）の羽根３，３，３とからなる羽根車１を有する軸流送風機とされている。
【００２３】
前記各羽根３の外周縁３ａは、前記回転軸４を含む任意の羽根断面において前記回転軸４からの距離Ｒが最大になる点を結んだ曲線により構成されている。
【００２４】
そして、前記各羽根３の外周縁には、羽根３の前縁側と羽根３の後縁側との間の複数の位置にあって局所的に前記距離Ｒが小さくなる切欠５，５・・が形成されており、該切欠５，５・・によって羽根３の外周縁３ａに複数の翼端３ｂ，３ｂ・・が形成されることとなっている。図１において符号Ｍは羽根車１の回転方向である。
【００２５】
上記のように構成した送風機においては、次のような作用効果が得られる。
【００２６】
即ち、羽根３の外周縁３ａにおいて発生する翼端渦Ｅが複数の翼端渦ｅ，ｅ・・に細分化されることとなり、一つ一つの翼端渦ｅが弱くなり、細分化された翼端渦ｅ，ｅ・・と他の物体との干渉による騒音が小さくなって、低騒音化を図ることができるのである。
【００２７】
ところで、前記各切欠５は、図２（イ）に示すように、該切欠５における局所的に前記距離Ｒが最小となる部位（即ち、切欠５の底５ａ）の外周側に羽根部分が存在するように構成するのが望ましい。つまり、切欠５の底５ａの角度は、図２（ロ）に示すように、鈍角とするのではなく、図２（イ）に示すように、鋭角とするのが望ましいのである。このようにすると、各切欠５の外周側に存在する羽根部分が一つ一つの翼端５を形成することとなり、翼端渦の細分化を確実に行うことができる。
【００２８】
また、図３に示すように、前記各羽根３の外周径を、最も前縁側が他の部分より小さくなるようにするのが望ましい。つまり、羽根３の最前縁３ｃの外周径Ｒｍｉｎが他の部分の外周径Ｒより小径となるようにしているのである。このようにすると、羽根３の外周縁３ａの切欠５，５・・によって形成された翼端３ｂ，３ｂ・・の存在が強調されることとなり、低騒音化を確実ならしめることができる。
【００２９】
第２の実施の形態
図４には、本願発明の第２の実施の形態にかかる送風機が示されている。
【００３０】
この場合、羽根車１の羽根３，３・・の外周側には、軸方向に羽根３，３・と重なる領域と重ならない領域とが存在するように円筒形状のエアガイド６が付設されており、切欠５，５・・は、前記エアガイド６と軸方向に重ならない領域にのみ形成されている。このようにすると、翼端渦Ｅが発生し易いエアガイド６と軸方向に重ならない領域での翼端渦の細分化が可能となるところから、翼端渦とエアガイド６との干渉による騒音の低減化に大いに寄与する。
【００３１】
その他の構成および作用効果は、第１の実施の形態におけると同様なので、説明を省略する。
【００３２】
第３の実施の形態
図５には、本願発明の第３の実施の形態にかかる送風機が示されている。
【００３３】
この場合、各羽根３の一部（例えば、周縁部を除く部分）を、通気性素材７（例えば、多孔質材料）で構成している。なお、羽根３の全体を通気性素材７で構成する場合もある。このようにすると、羽根３の翼面剥離が大幅に抑制されるところから、翼端渦と翼面剥離との干渉を抑制することができ、より一層の低騒音化を図ることができる。
【００３４】
第４の実施の形態
図６には、本願発明の第４の実施の形態である空気調和機用室外機が示されている。
【００３５】
この場合、本体ケーシング１１の一面に形成された空気吹出口１２には、吹出グリル１３が配設されており、該吹出グリル１３の内方には、上述の送風機Ｆが配設されている。このようにすると、空気調和機用室外機の運転音を大幅に低減できる。
【００３６】
以上の説明では、軸流送風機を具体例としているが、本願発明は、斜流送風機にも適用可能なことは勿論である。
【００３７】
また、本願発明は、上記実施の形態に限定されることはなく、発明の要旨を逸脱しない範囲において適宜設計変更可能なことは勿論である。
【図面の簡単な説明】
【００３８】
【図１】本願発明の第１の実施の形態にかかる送風機の正面図である。
【図２】本願発明の第１の実施の形態にかかる送風機における切欠の形成状態を示し、（イ）は好ましい形成状態であり、（ロ）は好ましくない形成状態である。
【図３】本願発明の第１の実施の形態にかかる送風機における要部拡大正面図である。
【図４】本願発明の第２の実施の形態にかかる送風機の拡大断面図である。
【図５】本願発明の第３の実施の形態にかかる送風機の正面図である。
【図６】本願発明の第４の実施の形態にかかる空気調和機用室外機の正面図である。
【図７】従来の送風機の正面図である。
【符号の説明】
【００３９】
１は羽根車
２はボス
３は羽根
３ａは外周縁
３ｂは翼端
４は回転軸
５は切欠
５ａは切欠の底
６はエアガイド
７は通気性素材
Ｅは翼端渦
ｅは細分化された翼端渦
Ｆは送風機
Ｒは回転軸からの距離
【図１】
2008157117.tif 000003
【図２】
2008157117.tif 000004
【図３】
2008157117.tif 000005
【図４】
2008157117.tif 000006
【図５】
2008157117.tif 000007
【図６】
2008157117.tif 000008
【図７】
2008157117.tif 000009